(57)【特許請求の範囲】
【請求項１】
槽内取付部材と槽外取付部材の一方に設けた筒状部を浴槽側壁の貫通穴に通し、この筒状部に他方の取付部材を螺合連結することにより、当該浴槽側壁に貫通状態に取り付けられ、浴槽外の給湯機に配管接続させる浴槽用給湯口アダプタであって、
前記螺合時の回転側となる一方の取付部材は、前記筒状部に外嵌するリング状パッキングを介して浴槽側壁に押接させるフランジ部を有すると共に、このフランジ部における前記リング状パッキングの配置位置の内周側又は外周側に、前記螺合によって前記リング状パッキングが所定の圧縮度合になった段階で浴槽壁面に当接するストッパー部を有してなり、
前記リング状パッキングは、前記筒状部への外嵌状態で前記ストッパー部の段下部に臨む厚肉リング部と、前記厚肉リング部から内側又は外側へ張出する薄肉リング部とからなり、
前記ストッパー部は、全周にわたって前記薄肉リング部を介して浴槽側壁に押接するように構成されてなる浴槽用給湯口アダプタ。
【請求項２】
前記リング状パッキングは、前記薄肉リング部と取付部材側との当接により、前記筒状部に対して略同心に位置決めされるように構成されてなる請求項１記載の浴槽用給湯口アダプタ。
【発明の詳細な説明】
【技術分野】
【０００１】
この発明は、浴槽壁部に貫通状態に取り付けられ、浴槽外の給湯機に配管接続させる浴槽用給湯口アダプタに関する。
【背景技術】
【０００２】
一般的に、この種の給湯口アダプタは、浴槽側壁の貫通穴に浴槽内側から挿通させた槽内取付部材の雄ねじ付き筒状部と、浴槽外の給湯機に配管接続させる槽外取付部材の雌ねじ付き筒状部とを螺合することにより、槽内取付部材の基端側のフランジ部と、槽外取付部材の先端側のフランジ部との間で浴槽側壁を内外両側から挟着して当該浴槽側壁に貫通状態に取り付けられ、その槽内取付部材には浴槽内側から流路形成部材を嵌装し、更に浴槽内開口部にフィルタ部材を装着するようになっている。
【０００３】
しかして、槽内外の両取付部材のフランジ部と浴槽側壁との間には、水密封止のためにリング状パッキングが介装されるが、前記螺合のために槽内取付部材側を回転操作することから、特に浴槽内側のパッキングが回転面と固定面との間で挟圧されて捩れ、断裂したり歪に変形して封止不良を生じ易いという問題があり、また強い締め付けによってパッキングが過度に圧縮されて潰れる懸念もあった。
【０００４】
そこで、上記の対策として、浴槽内側のリング状パッキングと槽内取付部材のフランジ部との間にリング状滑りシートを介在させ、そのシート表面での滑りによって螺合時の槽内取付部材とパッキングとの共廻りを防止したり（特許文献１）、また該滑りシートに加え、浴槽側壁の貫通穴を通して両側のフランジ部との間にディスタンスを介在させ、両取付部材の螺合度合を規制してパッキングの過度な圧縮を防止したり（特許文献２）、更には該滑りシートと槽内取付部材との間にも別のパッキングを配置する（特許文献３）ことが提案されている。
【先行技術文献】
【特許文献】
【０００５】
【特許文献１】特開平１１−２０１５５８号公報
【特許文献２】特開平１１−３３７１８６号公報
【特許文献３】特許第３５６５１２０号公報
【発明の概要】
【発明が解決しようとする課題】
【０００６】
しかしながら、前記のように浴槽内側のリング状パッキングと槽内取付部材のフランジ部との間にリング状滑りシートを介在させる従来手段では、該滑りシートとフランジ部との界面で封止性が低下する一方、この封止性低下を補うために螺合の締め付けを強めると、パッキングが潰れ易くなるという相矛盾した結果を招くことになる。また、前記の両側のフランジ部との間にディスタンスを介在させる従来手段では、両取付部材の螺合度合が規制されるから、該滑りシートとフランジ部との界面での封止性低下を締付けの強化で補うこと自体が困難になる。一方、滑りシートと槽内取付部材との間にも別のパッキングを配置する構成では、槽内取付部材側だけで２個のパッキングと滑りシートとを嵌装する必要があり、操作的に煩雑で手間と時間を要すると共に、取付順序の間違いや位置ずれ等の操作ミスによって封止性が損なわれる懸念が多々あった。
【０００７】
この発明は、上述の事情に鑑みてなされたものであり、浴槽用給湯口アダプタとして、取付部材の螺合による取り付けの際に、該取付部材と浴槽側壁との間に介在させるリング状パッキングの断裂や歪な変形を生じにくく、取付部の高い水密封止性が得られるものを提供することを課題とする。
【課題を解決するための手段】
【０００８】
上記課題は、以下の手段によって解決される。
【０００９】
〔１〕槽内取付部材と槽外取付部材の一方に設けた筒状部を浴槽側壁の貫通穴に通し、この筒状部に他方の取付部材を螺合連結することにより、当該浴槽側壁に貫通状態に取り付けられ、浴槽外の給湯機に配管接続させる浴槽用給湯口アダプタであって、
前記螺合時の回転側となる一方の取付部材は、前記筒状部に外嵌するリング状滑りシート及びリング状パッキングを介して浴槽側壁に押接させるフランジ部を有すると共に、このフランジ部の浴槽側壁との対向面に外周側へ段下する環状段部が形成され、
前記リング状パッキングは、前記筒状部への外嵌状態で前記環状段部の段下部に臨む厚肉リング部と、この厚肉リング部から中心側へ張出する薄肉張出部とからなり、厚肉リング部の最大肉厚が前記段下部の深さより大きく、且つ薄肉張出部の先端が前記筒状部に略当接するように設定され、
前記リング状滑りシートは、前記フランジ部とリング状パッキングとの間に配置し、前記筒状部への外嵌状態で外周縁が前記段下部上に位置すると共に、内周縁が前記筒状部に略当接する大きさに設定され、
前記両取付部材の螺合の終盤において、前記リング状パッキングの厚肉リング部が前記段下部へ入り込むのに伴い、前記環状段部で屈曲したリング状滑りシートの外周側が段下部に入り込んで前記厚肉リング部に対する介在状態から外れることにより、該厚肉リング部が前記フランジ部に直接に圧接するように構成されてなる浴槽用給湯口アダプタ。
【００１０】
〔２〕前記リング状パッキングの薄肉張出部が、全周にわたって連続する薄肉リング部を構成する前項１記載の浴槽用給湯口アダプタ。
【００１１】
〔３〕前記リング状パッキングの薄肉張出部が、厚肉リング部の内周に沿って所定間隔置きに設けられた複数の突片をなす前項１記載の浴槽用給湯口アダプタ。
【００１２】
〔４〕前記リング状パッキングにおける厚肉リング部のリング状滑りシートとの対向側に、最大肉厚部から内周縁へ傾斜した環状傾斜面を有してなる前項１〜３のいずれかに記載の浴槽用給湯口アダプタ。
【００１３】
〔５〕前記リング状パッキングの外周が軸方向に平行な平坦面をなす前項１〜４のいずれかに記載の浴槽用給湯口アダプタ。
【００１４】
〔６〕前記筒状部に外嵌したリング状滑りシートは、非屈曲状態で外周縁が前記リング状パッキングの厚肉リング部の最大肉厚部に被さると共に、屈曲状態で当該最大肉厚部から外れる大きさである前項１〜５のいずれかに記載の浴槽用給湯口アダプタ。
【００１５】
〔７〕回転側の取付部材の前記フランジ部に、前記螺合によって前記リング状パッキングが所定の圧縮度合になった段階で浴槽壁面に当接するストッパー部を設けてなる前項１〜５のいずれかに記載の浴槽用給湯口アダプタ。
【００１６】
〔８〕回転側の取付部材が槽内取付部材であり、前記筒状部の基端側に前記フランジ部が一体形成されてなる前項１〜７のいずれかに記載の浴槽用給湯口アダプタ。
【００１７】
〔９〕槽内取付部材と槽外取付部材の一方に設けた筒状部を浴槽側壁の貫通穴に通し、この筒状部に他方の取付部材を螺合連結することにより、当該浴槽側壁に貫通状態に取り付けられ、浴槽外の給湯機に配管接続させる浴槽用給湯口アダプタであって、
前記螺合時の回転側となる一方の取付部材は、前記筒状部に外嵌するリング状パッキングを介して浴槽側壁に押接させるフランジ部を有すると共に、このフランジ部における前記リング状パッキングの配置位置の内周側又は外周側に、前記螺合によって前記リング状パッキングが所定の圧縮度合になった段階で浴槽壁面に当接するストッパー部を有してなる浴槽用給湯口アダプタ。
【００１８】
〔１０〕前記リング状パッキングは、厚肉リング部から内側又は外側へ張出する薄肉張出部を備え、この薄肉張出部と取付部材側との当接により、前記筒状部に対して略同心に位置決めされるように構成されてなる前項９記載の浴槽用給湯口アダプタ。
【発明の効果】
【００１９】
上記〔１〕に記載の発明によれば、浴槽側壁の貫通穴を通して槽内取付部材と槽外取付部材を螺合連結する際、回転側の取付部材におけるフランジ部とリング状パッキングとの間に介在するリング状滑りシートの滑り作用により、螺合操作の当初から終盤に至るまでリング状パッキングの共廻りが抑えられ、該パッキングが捩れて断裂したり歪な変形状態になることが防止されると共に、該取付部材を軽く容易に回転操作できる。しかして、螺合の終盤になれば、前記リング状パッキングの厚肉リング部が前記段下部への入り込むのに伴い、この厚肉リング部に押されてリング状滑りシートが環状段部で屈曲し、該滑りシートの外周側が段下部に入り込んで外径を縮小する形になり、その外周縁がパッキングの厚肉リング部から内側へ外れて介在状態から離脱するから、最終的に該厚肉リング部が前記フランジ部と浴槽側壁の両方に直接に圧接した状態になり、もって確実な水密封止性が得られる。
【００２０】
また、リング状パッキングは中心側へ張出する薄肉張出部の先端が取付部材の筒状部に略当接し、リング状滑りシートも内周縁が同筒状部に略当接し、もって両者共に取付部材に対して同心状に位置決めされるから、前記螺合の終盤におけるパッキングと滑りシートの動きが確実に生じることになる。
【００２１】
上記〔２〕に記載の発明によれば、前記リング状パッキングの薄肉張出部が、薄肉リング部として滑りシートの内周側と浴槽側壁との間に全周にわたって介在し、水密封止性をより高めることになる。
【００２２】
上記〔３〕に記載の発明によれば、前記リング状パッキングの薄肉張出部が、厚肉リング部の内周に沿って所定間隔置きに設けられた複数の突片をなすから、これら突片の先端が取付部材の筒状部に略当接することより、取付部材に対して同心状に確実に位置決めされる。
【００２３】
上記〔４〕に記載の発明によれば、前記螺合の終盤において、リング状滑りシートの外周側にリング状パッキングの厚肉リング部が環状傾斜面で押接するから、その外周側が取付部材の環状段部で徐々に屈曲して段下部へ無理なく入り込み、該厚肉リング部に対する介在状態からの離脱がより円滑になされる。
【００２４】
上記〔５〕に記載の発明によれば、前記リング状パッキングの外周が軸方向に平行な平坦面をなすことから、外周側へ肉厚が次第に減少してゆく断面円形や楕円形のような一般的な形状のパッキングに比較して、圧縮で潰れるような変形を生じにくく、それだけ封止性が向上する。
【００２５】
上記〔６〕に記載の発明によれば、前記リング状滑りシートは、筒状部に外嵌した非屈曲状態で外周縁がリング状パッキングの厚肉リング部の最大肉厚部に被さるから、前記螺合の際、その滑り作用によって該パッキングの断裂及び歪な変形を確実に防止できると共に、最終的には当該外周縁が厚肉リング部の最大肉厚部から外れるから、パッキング本来の水密封止性を阻害しない。
【００２６】
上記〔７〕に記載の発明によれば、前記螺合の際、リング状パッキングが所定の圧縮度合になると、取付部材のフランジ部に設けたストッパー部が浴槽壁面に当接し、もって該パッキングのより以上の圧縮が阻止されるから、過度の圧縮による該パッキングの断裂や潰れを回避でき、水密封止の高い信頼性が得られる。
【００２７】
上記〔８〕に記載の発明によれば、前記螺合の際の回転側が槽内取付部材であるから、給湯口アダプタを浴槽側壁への取り付けと給湯機への配管接続が容易なように機能的に構成できる。
【００２８】
上記〔９〕に記載の発明によれば、浴槽側壁の貫通穴を通して槽内取付部材と槽外取付部材を螺合連結する際、回転側の取付部材におけるフランジ部と浴槽側壁との間に介在するリング状パッキングが所定の圧縮度合になった段階で、該フランジ部に設けたストッパー部が浴槽壁面に当接し、該パッキングのそれ以上の圧縮が阻止されるから、過度の圧縮による該パッキングの断裂や潰れを回避でき、水密封止の高い信頼性が得られる。
【００２９】
上記〔１０〕に記載の発明によれば、前記リング状パッキングは、厚肉リング部から張出する薄肉張出部によって取付部材の筒状部に略同心に位置決めされるから、その位置ずれによる封止不良を確実に防止できる。
【図面の簡単な説明】
【００３０】
【図１】この発明の第一実施形態に係る浴槽用給湯口アダプタを組み付け状態で示す縦断側面図である。
【図２】同浴槽用給湯口アダプタの分解斜視図である。
【図３】同浴槽用給湯口アダプタの槽外取付部材と槽内取付部材の螺合連結における締め付け前の状態を示す縦断側面図である。
【図４】同螺合連結における締め付け操作を示し、（Ａ）図は締め付け前の要部の拡大縦断側面図、（Ｂ）図は締め付け初期の要部の拡大縦断側面図である。
【図５】同螺合連結における締め付け後の状態を示し、（Ａ）図は全体の縦断側面図、（Ｂ）図は（Ａ）図における仮想線円Ｂ内の拡大図である。
【図６】同第一実施形態で用いるリング状パッキングを示し、（Ａ）図は半部の縦断側面図、（Ｂ）図は半部の正面図である。
【図７】同第二実施形態で用いるリング状パッキングの半部を示す正面図である。
【図８】同第三実施形態に係る浴槽用給湯口アダプタの槽外取付部材と槽内取付部材の螺合連結における締め付け後の状態を示す拡大縦断側面図である。
【図９】同第四実施形態に係る浴槽用給湯口アダプタの槽外取付部材と槽内取付部材の螺合連結における締め付け後の状態を示す拡大縦断側面図である。
【発明を実施するための形態】
【００３１】
以下、この発明に係る浴槽用給湯口アダプタの実施形態について、図面を参照して具体的に説明する。図１〜図６は第一実施形態、図７〜図９は第二〜第四実施形態をそれぞれ示す。
【００３２】
なお、これら実施形態の給湯口アダプタは、浴槽外に設置した給湯機（図示省略）からの温水を浴槽内に供給する湯はり機能と、浴槽内の温水を給湯機に吸い込んで加熱した高温水を浴槽内に戻す追い焚き機能とを備えた浴槽給湯システムに適用するものであり、所謂無極タイプとして、給湯機に繋がる往き管と戻り管（図示省略）に対する接続が逆になっても同じ機能が得られるようになっている。
【００３３】
第一実施形態の給湯口アダプタは、図１の縦断側面図ならびに図２の分解斜視図で示すように、槽外取付部材１、槽内取付部材２、流路形成部材３、フィルタ部材４の４つの主要部材と、槽外側のリング状被覆パッキング５、Ｏリング６、槽内側のリング状パッキング７、リング状滑りシート８、ロックねじ９の付属部品とで構成されている。なお、図中のＨは浴槽Ｔの側壁Ｔａに設けた貫通穴を示している。
【００３４】
槽外取付部材１は、黄銅やステンレス鋼等の金属製であり、略円筒状をなす外筒部１ａの開放した前端にフランジ部１ｂを備えると共に、該外筒部１ａの閉塞した後端部に一対の外管接続部１１ａ，１１ｂがロウ付けされ、該外筒部１ａの内側には前方へ開放した円筒状の内筒部１ｃが同軸状に一体形成されている。そして、内筒部１ｃの内側空間１０ａが外管接続部１１ａに外筒部１ａと内筒部１ｃの間の環状空間１０ｂが外管接続部１１ｂに、それぞれ連通している。また、外筒部１ａの前部内周には雌ねじ１２が刻設され、この外筒部１ａの前端よりも内奥に位置した内筒部１ｃの前端の内周側に、前記Ｏリング６を嵌装するための環状溝１３が形成されている。
【００３５】
槽内取付部材２は、ポリアセタート樹脂等の硬質樹脂成形物からなり、両端が開放した筒状部２ａの前端にフランジ部２ｂが一体形成されており、筒状部２ａの外周には槽外取付部材１の雌ねじ１２に対応する雄ねじ２１が設けてある。そして、フランジ部２ｂの後面側には、内周側から外周側へ段下する環状段部２２が形成されると共に、この環状段部２２の外側の段下部２３が更に外縁部２４の立ち上がりによって環状溝を構成している。なお、この段下部２３の環状溝は、環状段部２２側の内周側壁が外縁側の外周側壁よりも高くなっている。また、該フランジ部２ｂの前面側には多数の有底のロック穴２５…が周方向一定間隔置きに形成され、更に外周部２４には複数のＬ字形の係止溝２６が周方向一定間隔置きに形成されている。
【００３６】
流路形成部材３は、既述の無極タイプとしての流路を形成するものであり、円盤部３１ａの中央部後面側に流路分岐部３１ｂ及び流路筒部３１ｃを一体形成した硬質合成樹脂成形物からなる本体３１と、該本体３１の円盤部３１ａの前面側に嵌着される硬質合成樹脂成形物からなる円形の蓋板３２と、流路分岐部３１ｂに配置される縦長のゴム板からなる一対の弁体３３，３３とを備えている。
【００３７】
そして、本体３１の円盤部３１ａの周縁には前後両側へ突出した周壁部３４が形成され、この周壁部３４の前縁側に内嵌係止した蓋板３２と当該円盤部３１ａとの間で流路分離室３０を構成している。また、この周壁部３４には、外周面の左右両側上部と下端部の３ヵ所にＬ字形の係止溝３４ａが形成されると共に、内周面にも周方向に等配した３ヵ所に係止突起（図示省略）が形成されている。
【００３８】
流路分離室３０内は、上部側の吸込み空間３０ａと下部側の吐出空間３０ｂとに区画され、更に図示を省略しているが、吸込み空間３０ａが左右２室に分離すると共に、吐出空間３０ｂも流路分岐部３１ｂに臨む上部が左右に分画されている。しかして、円盤部３１ａの周壁部３４は吐出空間３０ｂに臨む下半部では前方突出部分がなく、これによって当該円盤部３１ａと蓋板３２との下半部間で吐出空間３０ｂから周辺側へスリット状に開放した放出口３５が形成されている。また、蓋板３２は、流路分離室３０の吸込み空間３０ａに臨む上部側に、径小で表裏に透通する多数の吸込孔３２ａ…を有すると共に、上端中央部にねじ孔３２ｂを備えている。
【００３９】
流路分岐部３１ｂは、吸込み空間３０ａ及び吐出空間３０ｂの左右一方側を流路筒部３１ｃ内に、同他方側を外側開放口（図示省略）に、それぞれ弁部３６を介して連通している。そして、各弁部３６では、吸込み空間３０ａと吐出空間３０ｂの上下両方にわたるように配置した弁体３３が、吸込み空間３０ａ側では内側（後方）へ、吐出空間３０ｂ側では外側（前方）へそれぞれ弾性変形して開弁し、逆方向には図１で示すように上下部の弁座３６ａ，３６ｂにそれぞれ平板状で当接して閉弁するように構成している。
【００４０】
フィルタ部材４は、皿形の硬質合成樹脂成形物からなり、その円形の前壁部４ａには径小で表裏に透通する多数の吸込孔４０…が略全面にわたって形成されている。また、前壁部４ａから後方へ突出する周縁部４ｂは、流路形成部材３のスリット状の放出口３５に対応する下半部の突出高さが低く設定されると共に、内周に流路形成部材３の各係止溝３４ａに対応する係止突起（図示省略）が形成されている。
【００４１】
しかして、流路形成部材３は、槽内取付部材２に対し、その筒状部２ａ内に前方から流路分岐部３１ｂ及び流路筒部３１ｃを挿嵌する形で、周壁部３４の後方突出部分をフランジ部２ｂに外嵌し、該周壁部３４内周の各係止突起をフランジ部２ｂ外周の係止溝２６に嵌入した状態で少し捻回操作することにより、抜出不能に係合連結される。また同様に、フィルタ部材４も、流路形成部材３に対し、その流路分離室３０の前面に被せて、周縁部４ｂの内周の各係止突起を周壁部３４外周の係止溝３４ａに嵌入した状態で少し捻回操作することにより、抜出不能に係合連結される。
【００４２】
上記構成の給湯口アダプタを浴槽Ｔに取り付けるには、浴槽側壁Ｔａの外側に配置した槽外取付部材１の外筒部１ａに、槽内取付部材２の筒状部２ａを該浴槽側壁Ｔａの内側から貫通穴Ｈを通して合わせ、槽内取付部材２側の回転操作によって筒状部２ａの雄ねじ２１を外筒部１ａの雌ねじ１２に螺合させ、締め付けることよって両取付部材１，２のフランジ部１ｂ，２ｂ間で浴槽側壁Ｔａを内外から挟着する。
【００４３】
このとき、図３に示すように、槽外取付部材１のフランジ部１ｂには予めリング状被覆パッキング５を嵌着すると共に、槽内取付部材２の筒状部２ａの基部側にも予めリング状パッキング７とリング状滑りシート８を前者がフランジ部２ｂ側に位置するように嵌装しておく。
【００４４】
なお、リング状被覆パッキング５は、断面略Ｕ字状の合成ゴム等からなる断面略Ｕ字状の成形物であり、その内周の環状嵌合溝５０に槽外取付部材１のフランジ部１ｂを嵌め込むことにより、該フランジ部１ｂの略外周面全域を包み込む状態に密着固定される。そして、このリング状被覆パッキング５の前面側を構成する厚肉本体部５ａの表裏面には、複数の同心円状の密着用凹凸部５１…が形成されている。
【００４５】
一方、リング状パッキング７は、図６（Ａ）（Ｂ）でも示すように、断面が内向きに尖った略スペード形をなす厚肉リング部７０と、この厚肉リング部７０から中心側へ全周にわたって張出する薄肉リング部７１とで構成される合成ゴム等の一体成形物からなる。そして、このリング状パッキング７は、槽内取付部材２の筒状部２ａに嵌装した状態で、薄肉リング部７１の内周端が当該筒状部２ａに略当接すると共に、厚肉リング部７０がフランジ部２ｂの環状溝をなす段下部２３に臨み、且つ厚肉リング部７０の最大肉厚部７０ａが槽内取付部材２のフランジ部２ｂにおける段下部２３の深さより大きい肉厚を有するように寸法設定されている。
【００４６】
また、リング状滑りシート８は、ポリオレフィンやポリエステル等の表面滑性が高い硬質乃至半硬質の平坦な合成樹脂シートからなり、槽内取付部材２の筒状部２ａに嵌装した状態で、内周縁が当該筒状部２ａに略当接すると共に、外周縁がフランジ部２ｂの段下部２３上に位置してリング状パッキング７の厚肉リング部７０の最大肉厚部７０ａに被さる大きさに設定されている。
【００４７】
さて、槽外取付部材１と槽内取付部材２とを浴槽側壁Ｔａの貫通穴Ｈを通して螺合させてゆくと、まず図３及び図４（Ａ）で示すように、リング状パッキング７とリング状滑りシート８とが槽内取付部材２のフランジ部２ｂと浴槽側壁Ｔａとの間に挟まれて互いに接触した状態になる。そして、更に図示矢印の如く両取付部材１，２の螺合を進めると、図４（Ｂ）に示すように、リング状パッキング７は浴槽側壁Ｔａに押された厚肉リング部７０がフランジ部２ｂの段下部２３へ入り込むように弾性変形してゆくと共に、この厚肉リング部７０に押されたリング状滑りシート８がフランジ部２ｂの環状段部２２で屈曲し、その外周側８ａが段下部２３側へ曲がり込んでゆく。
【００４８】
この段下部２３側への曲がり込みが深まるにしたがい、該滑りシート８は外径が縮小する形になるから、両取付部材１，２の螺合の終盤では外周縁がリング状パッキング７の厚肉リング部７０の最大肉厚部７０ａから外れ、最終的に図５（Ａ）（Ｂ）に示すように、該パッキング７の厚肉リング部７０がフランジ部２ｂの段下部２３に直接に圧接して密着する状態となる。
【００４９】
上記の両取付部材１，２の螺合操作では、その当初から終盤に至るまでの間、回転側の槽内取付部材２のフランジ部２ｂとリング状パッキング７との間に介在するリング状滑りシート８の滑り作用により、槽内取付部材２とリング状パッキング７との共廻りが抑えられるから、該パッキング７が捩れて断裂したり歪な変形状態になることが防止されると共に、槽内取付部材２を軽く容易に回転操作できる。
【００５０】
しかも、最終的には上述のようにリング状パッキング７の厚肉リング部７０がフランジ部２ｂと浴槽側壁Ｔａの両方に直接に圧接して密着した状態になるから、取付け後の給湯口アダプタは、浴槽内壁Ｔａの貫通部分、つまり貫通穴Ｈに対する槽内取付部材２の筒状部２ａの挿通部分が槽内側で確実に水密封止される。なお、該挿通部分の槽外側においても、リング状被覆パッキング５によって水密封止される。
【００５１】
そして、リング状パッキング７とリング状滑りシート８は共に、内周縁で槽内取付部材２の筒状部２ａに略当接するから、該筒状部２ａに対して同心状に位置決めされ、もって螺合操作における既述の相関動作が確実に遂行される。
【００５２】
なお、本実施形態では、厚肉リング部７０がフランジ部２ｂの段下部２３へ入り込むように弾性変形してゆく際、最大肉厚部７０ａから内周縁へ傾斜した環状傾斜面７０ｂでリング状滑りシート８の外周側８ａに押接するから、その外周側８ａが環状段部２２で徐々に屈曲して段下部２３へ無理なく入り込むと共に、該厚肉リング部７０に対する介在状態からの最終的な離脱動作もより円滑になされる。また、リング状パッキング７の外周が軸方向に平行な平坦面７０ｃになっているから、外周側へ肉厚が次第に減少してゆく断面円形や楕円形のような一般的な形状のパッキングに比較して、圧縮で潰れるような変形を生じにくく、それだけ封止性が向上する。更に、本実施形態では、該パッキング７の薄肉リング部７１は、滑りシート８の内周部と一緒に、フランジ部２ｂの根元部と浴槽側壁Ｔａとの間に全周にわたって介在するから、補助的に水密封止性を高める作用も果たす。
【００５３】
また、本実施形態では、槽内取付部材２のフランジ部２ｂにおける環状段部２２は、前記螺合の終盤で浴槽側壁Ｔａに当接するストッパー部として機能し、段下部２３に入り込んだリング状パッキング７の厚肉リング部７０のより以上の圧縮を阻止するから、該パッキング７の過度の圧縮による断裂や潰れを回避でき、もって水密封止の高い信頼性が得られる。
【００５４】
かくして両取付部材１，２の螺合連結が完了すれば、槽外取付部材１の外管接続部１１ａ，１１ｂに給湯機に繋がる往き管と戻り管を接続すると共に、浴槽Ｔの内側より槽内取付部材２に流路形成部材３及びフィルタ部材４を図１の如く取り付ける。なお、槽外取付部材１は非回転側であるため、前記螺合操作の前に外管接続部１１ａ，１１ｂの接続を済ませておいてもよい。
【００５５】
流路形成部材３は、放出口３５が下側になる状態で、流路筒部３１ｃ側から槽内取付部材２内に嵌入させ、該流路筒部３１ｃを槽内取付部材２内に突入している槽外取付部材１の内筒部１ｃに挿嵌させる。なお、内筒部１ｃの内周の環状溝１３には予めＯリング６を嵌装しておき、挿嵌した流路筒部３１ｃとの間を封止する。そして、周壁部３４の後方突出部分を槽内取付部材２のフランジ部２ｂに外嵌し、既述のように捻回操作して係合連結した上で、蓋板３２のねじ孔３２ｂにロックねじ９をねじ込む。
【００５６】
これにより、該ロックねじ９の先端が円盤部３１ａを貫通して槽内取付部材２のフランジ部２ｂの前面側に設けたロック穴２５に嵌入し、流路形成部材３が槽内取付部材２に対して捻回不能となるから、該流路形成部材３の槽内取付部材２との係合が意に反して解除されるのを防止できる。なお、槽内取付部材２側の係止溝２６とロック孔２５は周方向に一定間隔置きに多数形成されているから、螺合完了後の槽内取付部材２の回転停止姿勢が変化しても、流路形成部材３は、利用する係止溝２６及びロック穴２５の選択により、放出口３５が下側になる最も好ましい姿勢で連結できる。
【００５７】
しかして、流路分離室３０の吸込み空間３０ａ及び吐出空間３０ｂの左右一方側から流路分岐部３１ｂを経て流路筒部３１ｃに繋がる流路は、槽外取付部材１の内筒部１ｃの内側空間１０ａより外管接続部１１ａへ連通し、同左右他方側から流路分岐部３１ｂを経て外側開放口（図示省略）に繋がる流路は、槽内取付部材２の筒状部２ａと流路筒部３１ｃ及び内筒部１ｃとの間の環状空間１０ｂを通して外管接続部１１ｂに連通する。
【００５８】
フィルタ部材４は、流路形成部材３に対し、既述のように流路分離室３０の前面に被せて捻回操作で係止連結するだけでよい。これは、フィルタ部材４が流路形成部材３とは異なり、汚れによる目詰まりを防止する上で、清掃し易いように簡単に取り外せる方がよいためである。
【００５９】
なお、この発明で使用するリング状パッキング７としては、前記の第一実施形態では厚肉リング部７０から中心側へ張出する薄肉張出部が薄肉リング部７１をなし、それによる補助的な水密封止性を発揮できるものとしたが、水密封止性は厚肉リング部７０によって充分に担えるから、該薄肉張出部が内周方向に等配する複数の突片状等で専ら位置決め機能を果たすものとしてもよい。
【００６０】
例えば、図７に示す第二実施形態におけるリング状パッキング７では、厚肉リング部７０の内周に沿って所定間隔置きに複数の突片７２…が一体形成されており、該パッキング７を既述のように槽内部材２の筒状部２ａに嵌装した際に、これら突片７２…の先端が当該筒状部２ａに略当接することにより、該パッキング７を筒状部２ａに対して同心状に位置決めできるようになっている。
【００６１】
一方、前記第一実施形態では、槽内部材２のフランジ部２ｂの後面側に設けた環状段部２２がリング状パッキング７の過度な圧縮を防止するストッパー部としても機能するが、このようなストッパー部によってリング状パッキング７の過度な圧縮による断裂や潰れを防止するという観点では、前記第一実施形態のようなリング状滑りシート８を省略した構成も可能である。
【００６２】
例えば、図８に示す第三実施形態では、槽内取付部材２とリング状パッキング７は第一実施形態と同様構成であるが、浴槽側壁Ｔａと槽内取付部材２のフランジ部２ｂとの間にはリング状パッキング７のみが配置しており、両取付部材１，２の螺合がある程度まで進むと、該フランジ部２ｂの環状段部２２がストッパー部として、パッキング７の薄肉リング部７１を介して浴槽側壁Ｔａに押接する。従って、両取付部材１，２の更なる螺合緊締が不能となり、段下部２３に位置する厚肉リング部７０のそれ以上の圧縮が阻止され、もって該厚肉リング部７０の断裂や潰れを生じる恐れがなく、パッキングによる水密封止の高い信頼性が得られる。
【００６３】
また、図９に示す第四実施形態では、リング状パッキング７は第一実施形態と同様構成であるが、槽内取付部材２のフランジ部２ｂの後面側には該パッキング７の配置位置よりも外周側にストッパー部２７が突設されており、両取付部材１，２の螺合がある程度まで進んだ段階で、該ストッパー部２７が浴槽側壁Ｔａに当接することにより、両取付部材１，２の更なる螺合緊締が不能となり、パッキング７の厚肉リング部７０はそれ以上の圧縮が阻止されて断裂や潰れを生じず、水密封止の高い信頼性が得られる。
【００６４】
なお、このようなストッパー部は、浴槽側壁Ｔａとの当たりによるストッパー機能を発揮できればよいから、環状でなくとも差し支えない。また、リング状パッキング７については、槽内部材２の筒状部２ａに嵌装した際に当該筒状部２ａに対して同心状に位置決めする上で、厚肉リング部７０から張出する薄肉張出部を必要とするが、その張出方向は厚肉リング部７０の内周側に限らず、槽内取付部材２のフランジ部２ｂの形態によって外周側での当接による位置決めが可能であれば、該薄肉張出部を外周側に設けてもよい。更にこのような薄肉張出部は、図８及び図９で例示したリング状に限らず、既述の第二実施形態のリング状パッキング７のように周方向に等配する複数の突片としてもよい。
【００６５】
この発明の浴槽用給湯口アダプタでは、槽外取付部材１と槽内取付部材２の螺合の際に、例示した実施形態とは逆に槽外取付部材１を回転側として、そのフランジ部１ｂと浴槽側壁Ｔａとの間に前記のリング状パッキング７とリング状滑りシート８を介在させたり、該フランジ部１ｂにストッパー部を設ける構成とすることも可能である。ただし、例示した実施形態のように槽内取付部材２を回転側とすれば、給湯口アダプタを浴槽側壁への取り付けと給湯機への配管接続が容易なように機能的に構成できる。
【００６６】
また、この発明は、実施形態として例示した無極タイプに限らず、給湯機に繋がる往き管と戻り管との接続流路が規定される浴槽用給湯口アダプタにも適用可能であり、流路形成部材３における弁部構造や流路構成、フィルタ部材の形態等、細部構成については実施形態以外に種々設計変更可能である。
【符号の説明】
【００６７】
１  槽外取付部材
１２  雌ねじ
２  槽内取付部材
２ａ  筒状部
２ｂ  フランジ部
２１  雄ねじ
２２  環状段部（ストッパー部）
２３  段下部
２７  ストッパー部
７  リング状パッキング
７０  厚肉リング部
７０ａ  最大肉厚部
７０ｂ  環状傾斜面
７０ｃ  平坦面
７１  薄肉リング部
７２  突片部
８  リング状滑りシート
８ａ  外周側
Ｈ  貫通穴
Ｔ  浴槽
Ｔａ  浴槽側壁
【図１】
0005420602.tif 000002
【図２】
0005420602.tif 000003
【図３】
0005420602.tif 000004
【図４】
0005420602.tif 000005
【図５】
0005420602.tif 000006
【図６】
0005420602.tif 000007
【図７】
0005420602.tif 000008
【図８】
0005420602.tif 000009
【図９】
0005420602.tif 000010